(57)【要約】【課題】軽量、且つ、簡素であると共に、操作が簡単であり、且つ、騒音の発生の少ないスタンド型タオル掛けを得る。【解決手段】自立するスタンド２と、該スタンド２の上端部に設けられた一対の係合部材３，３によって略水平方向に保持自在で、且つ、水平方向から鉛直方向に揺動自在の揺動部材４，５とを備え、該揺動部材４，５にタオル掛けと成る複数の棒状部６〜１３が形成されているスタンド型タオル掛け１を提供する。【選択図】　図１
2004135805.tif 000002
【特許請求の範囲】
【請求項１】
自立するスタンドと、該スタンドの上端部に設けられた一対の係合部材によって略水平方向に保持自在で、且つ、水平方向から鉛直方向に揺動自在の揺動部材とを備え、該揺動部材にタオル掛けと成る複数の棒状部が形成されていることを特徴とするスタンド型タオル掛け。
【請求項２】
上記係合部材は長手方向に開穿された長孔と、該長孔の外側に形成され、且つ、上方に開放する凹部とを備え、一方、上記揺動部材の両側端には該長孔に貫通する貫通部と、該凹部に係止自在の係止部とが夫々外方に突設され、前記揺動部材は該貫通部が該長孔に貫通し、該係止部が凹部に係止する時、略水平方向に保持され、更に、該係止部が該凹部の係止から開放された時、該貫通部を回転中心として揺動し鉛直方向に収納されるように構成されていることを特徴とする請求項１記載のスタンド型タオル掛け。
【請求項３】
上記揺動部材は上記スタンドの上端部に前後一対対峙して設けられると共に、上記係合部材は前半部に上記長孔と、上記凹部とが形成され、後半部にも該前半部と対称的に上記長孔と、上記凹部とが形成され、前方の揺動部材の貫通部が前記係合部材の前半部の長孔に貫通し、係止部が凹部に係止自在に構成され、後方の揺動部材の貫通部が前記係合部材の後半部の長孔に貫通し、係止部が凹部に係止自在に構成されていることを特徴とする請求項１又は２記載のスタンド型タオル掛け。
【請求項４】
上記スタンドは４本の脚部を供えていることを特徴とする請求項１，２又は３記載のスタンド型タオル掛け。
【請求項５】
上記４本の脚部は夫々キャスターを供えていることを特徴とする請求項１，２，３又は４記載のスタンド型タオル掛け。
【請求項６】
上記長孔を貫通し上記係合部材の外方に突出する貫通部は螺着されて該長孔からの離脱を規制されていることを特徴とする請求項１，２，３，４又は５記載のスタンド型タオル掛け。
【発明の詳細な説明】
【０００１】
【発明の属する技術分野】
この発明は、スタンド型タオル掛けに関するものであり、特に、自立するスタンドを有し、水平方向に開くタオル掛け部を備えた折り畳み自在のスタンド型タオル掛けに関するものである。
【０００２】
【従来の技術】
従来の此種スタンド型タオル掛けとして、数枚のタオルを掛けることができ、不使用時には折り畳み可能なスタンド型タオル掛けが知られている（例えば、特許文献１参照。）。該スタンド型タオル掛けは、横方向の掛け部の左右端に縦方向の支柱部を備えた正面視略門型状の複数の掛け枠と、該複数の掛け枠を並べて起立状態に取付けるためのスタンド台とを有しており、該複数の掛け枠は該スタンド台に回転可能に夫々軸支され、且つ、ストッパによって所定角度で保持され、該所定角度で保持された時、前記掛け部が夫々所定間隔離間して、タオルを掛けられるように構成されている。
【０００３】
そして、前記スタンド型タオル掛けは、前記複数の掛け枠を回転させて１箇所にまとめ、且つ、前記スタンド台の一部を該掛け枠側に回転させることによりコンパクトに折り畳み自在となっている。
【０００４】
【特許文献１】
特開平１１−２０６６１３号公報　（第１−６頁、第１−５図）
【０００５】
【発明が解決しようとする課題】
上述した従来のスタンド型タオル掛けは複数本の掛け枠を有し、該掛け枠が所定角度で保持された時、該掛け枠の掛け部が夫々所定間隔離間して、タオルを掛けられるように構成され、更に、該掛け枠を一箇所にまとめ、且つ、スタンド台の一部を該掛け枠側に回転させることによりコンパクトに折り畳み可能に構成されている。
【０００６】
然しながら、該スタンド型タオル掛けは構成が比較的複雑であると共に、前記掛け枠は夫々左右端に縦方向の支柱部を備えているので、比較的重量があり、且つ、複数の掛け枠を回動させるので操作が比較的煩雑である。又、該掛け枠が回動時に互いに接触することによって騒音を発生するという問題がある。
【０００７】
そこで、軽量、且つ、簡素であると共に、操作が簡単であり、且つ、騒音の発生の少ないスタンド型タオル掛けを得るために解決すべき技術的課題が生じてくるのであり、本発明はこの課題を解決することを目的とする。
【０００８】
【課題を解決するための手段】
本発明は上記目的を達成するために提案されたものであり、自立するスタンドと、該スタンドの上端部に設けられた一対の係合部材によって略水平方向に保持自在で、且つ、水平方向から鉛直方向に揺動自在の揺動部材とを備え、該揺動部材にタオル掛けと成る複数の棒状部が形成されているスタンド型タオル掛け、
及び、上記係合部材は長手方向に開穿された長孔と、該長孔の外側に形成され、且つ、上方に開放する凹部とを備え、一方、上記揺動部材の両側端には該長孔に貫通する貫通部と、該凹部に係止自在の係止部とが夫々外方に突設され、前記揺動部材は該貫通部が該長孔に貫通し、該係止部が凹部に係止する時、略水平方向に保持され、更に、該係止部が該凹部の係止から開放された時、該貫通部を回転中心として揺動し鉛直方向に収納されるように構成されているスタンド型タオル掛け、
及び、上記揺動部材は上記スタンドの上端部に前後一対対峙して設けられると共に、上記係合部材は前半部に上記長孔と、上記凹部とが形成され、後半部にも該前半部と対称的に上記長孔と、上記凹部とが形成され、前方の揺動部材の貫通部が前記係合部材の前半部の長孔に貫通し、係止部が凹部に係止自在に構成され、後方の揺動部材の貫通部が前記係合部材の後半部の長孔に貫通し、係止部が凹部に係止自在に構成されているスタンド型タオル掛け、
及び、上記スタンドは４本の脚部を供えているスタンド型タオル掛け、
及び、上記４本の脚部は夫々キャスターを供えているスタンド型タオル掛け、並びに、上記長孔を貫通し上記係合部材の外方に突出する貫通部は螺着されて該長孔からの離脱を規制されているスタンド型タオル掛けを提供するものである。
【０００９】
【発明の実施の形態】
以下、本発明の一実施の形態を図１乃至図５に従って詳述する。図１に於て、１は耐蝕性のメッキが施された比較的細径の金属棒を用いたスタンド型タオル掛けであり、該スタンド型タオル掛け１は、自立するスタンド２と、該スタンド２の上端部に設けられた一対の係合部材３，３によって略水平方向に保持自在で、且つ、水平方向から鉛直方向に揺動自在の前後一対の揺動部材４，５とを備え、該揺動部材４，５にタオル掛けと成る複数の棒状部６，７，８，９、及び、棒状部１０，１１，１２，１３が夫々形成されている。
【００１０】
そして、上記係合部材３は、図２及び図３に示す如く、前後に延びる長板状に形成され、該係合部材３の前半部（図に於て左半部）に、長手方向に開穿された長孔１４と、該長孔１４の外側（図に於て左側）に上方に開放する凹部１５とが形成され、該係合部材３の後半部（図に於て右半部）に、前記前半部と対称的に、長手方向に開穿された長孔１６と、該長孔１６の外側（図に於て右側）に上方に開放する凹部１７とが形成されている。
【００１１】
一方、図１乃至図３に示す如く、前記前方（図に於て左方）の揺動部材４は外側部（図に於て左側部）の前記棒状部９と、所定間隔離間して平行に配設された左右棒１８，１９とでＵ字状の揺動部材本体２０が形成され、該揺動部材本体２０の該左右棒１８，１９に前記棒状部６，７，８が所定間隔離間して平行に掛け渡され、更に、内側部の前記棒状部６は前記左右棒１８，１９の両側端から外方に突設して前記凹部１５，１５に係止自在の係止部２１，２１が形成されると共に、該棒状部６の両端近傍には該棒状部６に直交して突設し、所定距離で折曲して該棒状部６と平行に延び、前記長孔１４，１４に貫通するＬ字状の貫通部２２，２２が形成され、更に、該貫通部２２，２２の該長孔１４，１４を貫通して外方に突出した部位に抜け止めのためのナット２３，２３が螺着されている。
【００１２】
又、前記揺動部材４と対称的に配置された前記後方（図に於て右方）の揺動部材５は外側部の前記棒状部１３と、所定間隔離間して平行に配設された左右棒２４，２５とでＵ字状の揺動部材本体２６が形成され、該揺動部材本体２６の該左右棒２４，２５に前記棒状部１０，１１，１２が所定間隔離間して平行に掛け渡され、更に、内側部の前記棒状部１０は前記左右棒２４，２５の両側端から外方に突設して前記凹部１７，１７に係止自在の係止部２７，２７が形成されると共に、該棒状部１０の両端近傍には該棒状部１０に直交して突設し、所定距離で折曲して該棒状部１０と平行に延び、前記長孔１６，１６に貫通するＬ字状の貫通部２８，２８が形成され、更に、該貫通部２８，２８の該長孔１６，１６を貫通して外方に突出した部位に抜け止めのためのナット２９，２９が螺着されている。
【００１３】
又、前記スタンド２は、左右立設部３０，３１と上枠３２から成る逆Ｕ字状のスタンド本体３３と、該左右立設部３０，３１に掛け渡された梁部３４，３５と、該左立設部３０の下端に直交して固着された上枠３６に前後脚部３７，３８が固着された略逆Ｕ字状の左下部スタンド３９と、前記右立設部３０の下端に直交して固着された上枠４０に前後脚部４１，４２が固着された略逆Ｕ字状の右下部スタンド４３とから成り、前記脚部３７，３８，４１，４２には夫々キャスター４４，４４，４４，４４が固着されている。従って、前記スタンド２は自立可能であり、且つ、移動可能である。
【００１４】
而して、前記スタンド型タオル掛け１を使用する時は、例えば、前記後方の揺動部材５の貫通部２８，２８を前記長孔１６，１６に貫通させた状態で、前記係止部２７，２７を前記凹部１７，１７に係止すると、該揺動部材５は略水平に保持され、この状態で、棒状部１０，１１，１２，１３にタオルを掛けることができる。又、前記上枠３２にもタオルを掛けることが可能である。
【００１５】
同様に、前記前方の揺動部材４の貫通部２２，２２を前記長孔１４，１４に貫通させた状態で、前記係止部２１，２１を前記凹部１５，１５に係止すると、該揺動部材４は略水平に保持されて展開し、この状態で、棒状部６，７，８，９にタオルを掛けることができる。
【００１６】
そして、図４（ａ）に示す如く、前記後方の揺動部材５の前記貫通部２８，２８を回動中心として、前記係止部２７，２７を前記凹部１７，１７から離脱するように矢印の如く上方に回転させ、この状態で、同図（ｂ）に示す如く、該揺動部材５を矢印の如く水平方向外方（図に於て右斜め方向）に移動させて該揺動部材５の前記係止部２７，２７を前記係合部材３，３の外方に移動させ、次に、同図（ｃ）、（ｄ）に示す如く、前記貫通部２８，２８を回動中心として、前記係止部２７，２７を自重又は操作によって、下方に回転させると該揺動部材５は矢印の如く回転し、図５に示す如く、該揺動部材５が鉛直方向に収納される。同様にして、前記前方の揺動部材４も鉛直方向に収納することができる。
【００１７】
又、該揺動部材４，５を収納状態から展開して水平方向に保持する場合は、前述の操作と逆の操作を行えばよい。
斯くして、前記スタンド型タオル掛け１は前記棒状部６乃至１３によって多数のタオルを掛けることができると共に、前記揺動部材４，５を鉛直方向に収納してコンパクトな収納状態を得ることが可能となる。又、該スタンド型タオル掛け１は比較的細径の金属棒で形成され、且つ、簡素な構成であるため比較的軽量であり、更に、移動、展開、及び、収納の操作が容易であり、且つ、金属の接触が少ないため、騒音の発生が少ないという利点がある。
【００１８】
尚、本発明は、本発明の精神を逸脱しない限り種々の改変を為すことができ、そして、本発明が該改変されたものに及ぶことは当然である。
【００１９】
【発明の効果】
本発明は上記一実施の形態に詳述したように、請求項１記載の発明は自立するスタンドと、該スタンドの上端部に設けられた一対の係合部材によって略水平方向に保持自在で、且つ、水平方向から鉛直方向に揺動自在の揺動部材とを備え、該揺動部材にタオル掛けと成る複数の棒状部が形成されているスタンド型タオル掛けであるので、コンパクトに収納できると共に、簡素な構成であるため比較的軽量であり、更に、展開、収納の操作が簡単であり、且つ、構成要素の互いの接触が少ないため、騒音の発生の少ないスタンド型タオル掛けを得ることが可能である。
【００２０】
又、請求項２記載の発明は、上記係合部材は長手方向に開穿された長孔と、該長孔の外側に形成され、且つ、上方に開放する凹部とを備え、一方、上記揺動部材の両側端には該長孔に貫通する貫通部と、該凹部に係止自在の係止部とが夫々外方に突設され、前記揺動部材は該貫通部が該長孔に貫通し、該係止部が凹部に係止する時、略水平方向に保持され、更に、該係止部が該凹部の係止から開放された時、該貫通部を回転中心として揺動し鉛直方向に収納されるように構成されているので、請求項１記載の発明の効果に加え、前記係合部材によって簡易な構成で前記揺動部材の展開、収納の操作が確実に行える。
【００２１】
更に、請求項３記載の発明は、上記揺動部材は上記スタンドの上端部に前後一対対峙して設けられると共に、上記係合部材は前半部に上記長孔と、上記凹部とが形成され、後半部にも該前半部と対称的に上記長孔と、上記凹部とが形成され、前方の揺動部材の貫通部が前記係合部材の前半部の長孔に貫通し、係止部が凹部に係止自在に構成され、後方の揺動部材の貫通部が前記係合部材の後半部の長孔に貫通し、係止部が凹部に係止自在に構成されているので、請求項１又は２記載の発明の効果に加え、前記２つの揺動部材によって、多数のタオルを掛けることができると共に、この場合に於ても、収納状態をコンパクトにすることができる。
【００２２】
更に又、請求項４記載の発明は、上記スタンドは４本の脚部を供えているので、請求項１，２又は３記載の発明の効果に加え、該スタンドを確実に自立させることができる。
【００２３】
そして、請求項５記載の発明は、上記４本の脚部は夫々キャスターを供えているので、請求項１，２，３又は４記載の発明の効果に加え、スタンド型タオル掛けの移動を容易にすることができる。
【００２４】
又、請求項６記載の発明は、上記長孔を貫通し上記係合部材の外方に突出する貫通部は螺着されて該長孔からの離脱を規制されているので、請求項１，２，３，４又は５記載の発明の効果に加え、揺動部材の抜け止めが期待できる等、正に著大なる効果を奏する発明である。
【図面の簡単な説明】
【図１】本発明の一実施の形態を示し、開放状態のスタンド型タオル掛けの斜視図。
【図２】図１の係合部材の係合状態を示す斜視図。
【図３】（ａ）図１の係合部材の正面図。
（ｂ）図１の係合部材の側面図。
【図４】（ａ）〜（ｄ）図１のスタンド型タオル掛けの動作を説明する斜視図。
【図５】本発明の一実施の形態を示し、収納状態のスタンド型タオル掛けの斜視図。
【符号の説明】
１　　　　　　　　　　　スタンド型タオル掛け
２　　　　　　　　　　　スタンド
３　　　　　　　　　　　係合部材
４，５　　　　　　　　揺動部材
６，７，８，９　　　　　棒状部
１０，１１，１２，１３　　棒状部
１４，１６　　　　　　　　長孔
１５，１７　　　　　　　　凹部
２１，２７　　　　　　　　係止部
２２，２８　　　　　　　　貫通部
３７，３８　　　　　　　　脚部
４４　　　　　　　　　　　キャスター
【図１】
2004135805.tif 000003
【図２】
2004135805.tif 000004
【図３】
2004135805.tif 000005
【図４】
2004135805.tif 000006
【図５】
2004135805.tif 000007